(57)【要約】  本発明は周囲の暗い状況においても鏡機能を遺憾なく利用することのできる表示装置を提供することを目的とする。表示装置は、１の状態において表示すべき情報を表示し他の状態において外光を反射して鏡を形成する像形成手段（５０，６０，７０，７１）と、鏡機能実行指令を入力する入力手段（３０）と、鏡機能実行指令に応答して像形成手段を他の状態に切り換える制御手段（８２）とを有する表示装置。この装置は、他の状態において当該鏡（６０）に映すべきオブジェクトに光を照射するための照明ユニット（９１）をさらに有する。
2007537475.tif 000002
【特許請求の範囲】
【請求項１】
１の状態において表示すべき情報を表示し他の状態において外光を反射して鏡を形成する像形成手段と、鏡機能実行指令を入力する入力手段と、前記鏡機能実行指令に応答して前記像形成手段を前記他の状態に切り換える制御手段とを有する表示装置であって、
前記他の状態において当該鏡に映すべきオブジェクトに光を照射するための照明ユニットをさらに有する、
表示装置。
【請求項２】
請求項１に記載の表示装置であって、前記制御手段は、前記鏡機能実行指令に応答して前記照明ユニットを点灯させることの可能な状態にする、表示装置。
【請求項３】
請求項２に記載の表示装置であって、前記制御手段は、前記鏡機能実行指令に応答して前記照明ユニットを点灯させる、表示装置。
【請求項４】
請求項２に記載の表示装置であって、前記制御手段は、前記鏡機能実行指令に応答して外部照度情報に応じた照明強度にて前記照明ユニットを駆動させる、表示装置。
【請求項５】
請求項２に記載の表示装置であって、前記制御手段は、前記鏡機能実行指令に応答して前記照明ユニットを点灯させるか又は前記鏡機能実行指令に応答して外部照度情報に応じた照明強度にて前記照明ユニットを駆動させるかを予め選択することを可能としている、表示装置。
【請求項６】
請求項１に記載の表示装置であって、前記制御手段は、前記照明ユニットを不点灯にすべき設定又は前記照明ユニットを所定強度で照射させるべき設定がなされているときは、当該設定に応じて前記照明ユニットを制御する、表示装置。
【請求項７】
請求項４又は５に記載の表示装置であって、前記外部照度情報を得るための光検出器又は入力手段を有する、表示装置。
【請求項８】
請求項１に記載の表示装置であって、当該表示装置は、バックライトを有する透過型表示装置であり、前記照明ユニットは、前記バックライトにより構成される、表示装置。
【請求項９】
請求項８に記載の表示装置であって、前記バックライトにより発せられた光は、前記他の状態のときに前記像形成手段の鏡形成領域の外周部の少なくとも一部において外部へ透過させられることが可能となっている、表示装置。
【請求項１０】
請求項１に記載の表示装置であって、当該表示装置は、フロントライトを有する反射型表示装置であり、前記照明ユニットは、前記フロントライトにより構成され、前記フロントライトにより発せられた光は、前記他の状態のときに前記像形成手段において形成された鏡を反射した後に前記オブジェクトを照射することが可能となっている、表示装置。
【請求項１１】
請求項１ないし１０のうちいずれか１つに記載の表示装置であって、前記照明ユニットの電源供給は、省電力モードのときに強制的に断とされる、表示装置。
【請求項１２】
請求項１ないし１１のうちいずれか１つに記載の表示装置であって、前記照明ユニットは、前記像形成手段において形成される鏡の主面の略中心における略垂直線上の所定使用位置に光を向ける照射指向性を有する、表示装置。
【請求項１３】
請求項１ないし１２のうちいずれか１つに記載の表示装置であって、前記照明ユニットの光の照射指向性及び／又はスポット形状を調整する手段を有する、表示装置。
【請求項１４】
請求項１２又は１３に記載の表示装置であって、前記照明ユニットは、光源とこの光源より発せられた光を反射して前記所定使用位置に光を指向させる少なくとも１つの反射板とを有する、表示装置。
【請求項１５】
請求項１２，１３又は１４に記載の表示装置であって、前記照明ユニットは、光源とこの光源より発せられた光を屈折させて前記所定使用位置に光を指向させる少なくとも１つの光学屈折体を有する、表示装置。
【請求項１６】
請求項１ないし１５のうちいずれか１つに記載の表示装置であって、前記照明ユニットは、光源と、この光源より発せられた光のうち第１偏光成分を透過しそれ以外の第２偏光成分を反射する反射型偏光板と、この反射型偏光板と前記光源を挟んで対向配置され前記光源からの光及び前記第２偏光成分を反射する反射板とを有し、前記像形成手段は、前記他の状態において主として前記第１偏光成分の光を当該鏡において反射させる、表示装置。
【請求項１７】
請求項１ないし１６のうちいずれか１つに記載の表示装置を有する携帯情報装置であって、前記制御手段は、着信その他の当該携帯情報装置の呈する特異状態に応答してその旨を報知するよう前記照明ユニットの点灯を制御する、携帯情報装置。
【発明の詳細な説明】
【技術分野】
【０００１】
本発明は、鏡機能付き表示装置及び携帯情報装置に関する。本発明は特に、画像その他の表示すべき情報を表示する機能と外部のオブジェクトを映す鏡として作用する機能とを兼ね備えるタイプの表示装置及びこの表示装置を用いた携帯情報装置に関する。
【背景技術】
【０００２】
この種の表示装置は既に実用化されており、また、公知技術としても特許文献１などに記載のものがある。
【０００３】
特許文献１には、高画質な画像を表示する状態と人が自分の顔や姿を映して観察するのに適した見やすい反射像が得られる鏡状態とに切り替え可能な装置が記述されている。この装置は、画像光を出射する画像表示部と、画像表示部から出射される第１の直線偏光成分は透過しこれと偏光軸が直交する第２の直線偏光成分は反射する反射型偏光選択手段と、入射した直線偏光光の偏光軸を変化させる状態及び変化させない状態のいずれかを選択可能な透過偏光軸可変部と、入射した光のうち第１の直線偏光成分は吸収しこれと偏光軸が直交する第２の直線偏光成分は透過する偏光選択部材とがこの順に配置されて構成されている。そして、画像表示部には吸収型偏光選択手段が配置され、画像光として当該第１の直線偏光が出射するようにしている。
【０００４】
特許文献１は、このような構成とすることにより十分実用に耐えられる鏡機能アーキテクチャを導いている。
【特許文献１】国際出願公開ＷＯ０２／０６９０３１Ａ１（特に、第６頁ないし第７頁並びに図１及び図２参照）
【発明の開示】
【発明が解決しようとする課題】
【０００５】
本発明者らは、特許文献１に記載されているような鏡機能は、それ自体がいくら優れたものであっても、周囲の暗い状況のいわゆる暗闇では全く役に立たないか又は鏡に映る像を視認し難いものとなってしまう、と認識した。特に携帯型の電子機器では、このような状況で使用することが多く、無視することができないものである。換言すれば、本来、携帯型機器は様々な環境の下で使用されることを使命とするものであり、予想される多くの状況で鏡機能が役に立たなければ、該機能を携帯型機器に実現したことの価値は薄いものとなってしまう点に着目したのである。
（目的）
【０００６】
本発明は、上述したような認識に基づいてなされたものであり、その目的とするところは、周囲の暗い状況においても鏡機能を遺憾なく利用すること（暗闇対策）のできる表示装置を提供することである。
【０００７】
本発明の他の目的は、情報表示と鏡作用とを切り換えることができる装置に適した暗闇対策をなすことである。
【０００８】
本発明はまた、透過型及び反射型液晶表示装置（半透過型を含む）に適した暗闇対策をなすことを目的としている。
【０００９】
本発明はさらに、携帯情報装置に適した暗闇対策をなすことを目的としている。
【課題を解決するための手段】
【００１０】
上記目的を達成するため、本発明の一態様は、１の状態において表示すべき情報を表示し他の状態において外光を反射して鏡を形成する像形成手段と、鏡機能実行指令を入力する入力手段と、前記鏡機能実行指令に応答して前記像形成手段を前記他の状態に切り換える制御手段とを有する表示装置であって、前記他の状態において当該鏡に映すべきオブジェクトに光を照射するための照明ユニットをさらに有する、表示装置としている。
【００１１】
これによれば、ユーザが鏡を利用するときには照明ユニットからの光が照射されることが可能となるので、周囲の暗い状況においても鏡機能を良好に利用することができる。
【００１２】
この態様において、前記制御手段は、前記鏡機能実行指令に応答して前記照明ユニットを点灯させることの可能な状態にするものとすることができる。こうすることにより、鏡として使用するときには照明ユニットの稼動可能状態となるので、使い易くなる。
【００１３】
また、前記制御手段は、前記鏡機能実行指令に応答して前記照明ユニットを点灯させるものとしたり、前記制御手段は、前記鏡機能実行指令に応答して外部照度情報に応じた照明強度にて前記照明ユニットを駆動させるものとしてもよい。前者は鏡として使用するときには照明ユニットを点灯させ暗闇対策の他にも当該鏡作用モードの報知がなされるという利点があり、後者は暗闇の程度に応じた強度の照明ユニットの照射をなすので使い勝手が良い、という利点がある。これらを組み合わせた形態としては、前記制御手段は、前記鏡機能実行指令に応答して前記照明ユニットを点灯させるか又は前記鏡機能実行指令に応答して外部照度情報に応じた照明強度にて前記照明ユニットを駆動させるかを予め選択することを可能としているものとすることができる。このようにすることにより、よりユーザの好みに合わせた使用形態を提供することができる。或いは、前記制御手段は、前記照明ユニットを不点灯にすべき設定又は前記照明ユニットを所定強度で照射させるべき設定がなされているときは、当該設定に応じて前記照明ユニットを制御するようにすれば、鏡作用モードに移行しても照明ユニットのオフ及び所定強度照射のいずれかに設定を固定にすることが可能となり、さらに幅広い使用形態をカバーすることができる。
【００１４】
かかる形態において、前記外部照度情報を得るための光検出器又は入力手段を有するものとすることができる。なお、「外部照度情報」は、いわゆる光電素子としての光検出器の検出出力より得られる当該暗闇の程度に応じた情報の他にも、ユーザが主観的に判断し（若しくは判断せず）入力した相当の情報（外部照度に客観的に対応しない情報を含む）を含むものである。
【００１５】
透過型表示装置に好適な形態は、当該表示装置は、バックライトを有する透過型表示装置であり、前記照明ユニットは、前記バックライトにより構成されるものである。これにより、バックライトを有効活用することができる。さらに前記バックライトにより発せられた光は、前記他の状態のときに前記像形成手段の鏡形成領域の外周部の少なくとも一部において外部へ透過させられることが可能とすることより、像形成領域の全体にわたり面照射するバックライトの特徴を、通常の情報表示で用いるバックライト光の伝播経路を犠牲にすることなく利用することができて好ましい。反射型表示装置に好適な形態は、当該表示装置は、フロントライトを有する反射型表示装置であり、前記照明ユニットは、前記フロントライトにより構成され、前記フロントライトにより発せられた光は、前記他の状態のときに前記像形成手段において形成された鏡を反射した後に前記オブジェクトを照射することが可能となっているものである。これにより、フロントライトを有効活用することができる。なお、反透過型表示装置には、バックライトのみ用いるタイプとバックライトとフロントライトの双方を有するタイプのものがあり、適用されるシステムに合わせて照明ユニットの構成を定めればよい。
【００１６】
他の好ましい形態の１つは、前記照明ユニットの電源供給は、省電力モードのときに強制的に断とされるものとすることである。これにより、当該装置の消費電力の削減に寄与することができ、特に限られたバッテリ容量での駆動を余儀なくされる携帯型装置に好適となる。
【００１７】
また、前記照明ユニットは、前記像形成手段において形成される鏡の主面の略中心における略垂直線上の所定使用位置に光を向ける照射指向性を有するものとしたり、前記照明ユニットの光の照射指向性及び／又はスポット形状を調整する手段を有するものとすることができる。前者はある程度鏡に映すべきオブジェクトの位置が定まっている場合に適しており、後者は当該位置が変わりやすい場合に適している。前記照明ユニットは、光源とこの光源より発せられた光を反射して前記所定使用位置に光を指向させる少なくとも１つの反射板とを有するものとしたり、前記照明ユニットは、光源とこの光源より発せられた光を屈折させて前記所定使用位置に光を指向させる少なくとも１つの光学屈折体を有するものとしたりすることにより、比較的簡単に照明ユニットの指向性及びスポット形状を定めることができる。
【００１８】
さらに、前記照明ユニットは、光源と、この光源より発せられた光のうち第１偏光成分を透過しそれ以外の第２偏光成分を反射する反射型偏光板と、この反射型偏光板と前記光源を挟んで対向配置され前記光源からの光及び前記第２偏光成分を反射する反射板とを有し、前記像形成手段は、前記他の状態において主として前記第１偏光成分の光を当該鏡において反射させるものとすることにより、鏡面反射する光の有効化が図られるので、より明るい鏡の像を得ることができる。
【００１９】
本発明の他の態様は、携帯情報装置を指向するものであり、上述した態様又は各形態の表示装置を用いて構成することにより、既述又は後述の表示装置の利点を享受する携帯情報装置を提供することができる。特に、前記制御手段は、着信その他の当該携帯情報装置の呈する特異状態に応答してその旨を報知するよう前記照明ユニットの点灯を制御するものとすることにより、携帯情報装置において照明ユニットをさらに有用なものとすることができて好ましい。
【発明を実施するための最良の形態】
【００２０】
以下、上記態様その他の本発明の実施の形態を、実施例により添付図面を参照して詳しく説明する。
【００２１】
図１は、本発明の一実施例による携帯情報装置としての携帯電話機の概要及び使用形態を示している。
【００２２】
この図において、携帯電話機１は、情報表示及び鏡形成を行うための領域を画定する画面１０と、鏡機能実行指令の入力手段として、この画面を情報表示モードから鏡作用モードに（及びこの逆に）切り換えるための押圧キー又はボタン３０とを有する。また、ユーザ１００に光を照射するための照明ユニット９１が設けられており、鏡作用モードの間、後述する種々の条件の下で、かかる照射が可能なように制御される。さらに、この携帯電話機１の周囲環境の暗さ又は明るさを検出するための光検出器９２が、例えば当該電話機本体の頂部に設けられる。照明ユニット９１の点灯及び／又は発光強度は、光検出器９２の検出出力に応じて制御される。光検出器９２は、ユーザがこの電話機を使用するときにその光検出面が隠れないような位置に設けられるのが好ましい。本例においては、本発明が適用される装置が携帯電話機であり、ユーザは通常片手でその電話機を把持するので、当該電話機の頂部又は底部が好ましい。また、以下ではこのような光検出器を単一のものとして説明するが、複数用いて構成してもよいことは勿論である。
【００２３】
このような構成において、ユーザ１００が携帯電話機１を鏡として使う場合には、鏡機能実行指令としてボタン３０が押圧される。これに応答して、画面１０が鏡作用モードとなり、例えばユーザ１００の顔が画面１０の領域に形成された鏡に映ることになる。このとき、照明ユニット９１に対して当該ボタン３０の押圧に連動して発光可能となる制御がなされ、その発光態様が光検出器９２の検出出力及びその他の設定によって決定される。照明ユニット９１から発せられた光は、ユーザ１００の顔を照らす。これにより、ユーザ１００の顔は暗闇でも明るく鏡に映すことができることになる。
【００２４】
図２は、携帯電話機１の構成を一例としてより詳細に示している。
【００２５】
携帯電話機１は、本発明の主要な特徴の１つである像形成手段を形成する構成を含む表示装置を有する。この像形成手段は、図２に示されるように、主として、液晶表示パネル５０と、反射型偏光選択部材６０と、透過偏光軸可変部７０と、偏光板７１とを有する。
【００２６】
液晶表示パネル５０は、主に、互いに対向する一対の基板５ａ，５ｂに挟まれた液晶層５ｃを有する液晶セル５１と、このセルのそれぞれ上下に配される２つの偏光板５２及び５３とによって構成される。ここで使用される基板５ａ，５ｂは、それぞれ液晶層５ｃに接触する面が配向処理された図示せぬ配向層を有する他、表示すべき画像その他の情報に応じた電圧を印加するための各種の層及び構造（図示せず）が形成される。液晶層５ｃは、例えばツイストネマチック型の液晶材料からなり、当該配向層の一方及び他方（上下）の配向によってこれらに接触する液晶分子の（長軸の）配向方向がそれぞれ直交するよう配向される。点線矢印５Ｕ，５Ｌは、これらの配向方向を示している。偏光板５２，５３の偏光軸５２ｐ，５３ｐは、この直交する配向方向にそれぞれ平行に方位付けされる。
【００２７】
反射型偏光選択部材６０は、国際出願公開ＷＯ９５／２７９１９号などに記載のものであり、通称ＤＢＥＦ（dual brightness enhancement film）と呼ばれている。このＤＢＥＦ６０は、その主面に含まれる一方向に沿う透過（偏光）軸６ｐを有し、この透過軸方向以外の方向の偏光成分を反射する機能を有する。ＤＢＥＦ６０は、その透過軸６ｐが液晶セル５１における上側偏光板５２の偏光軸５２ｐと平行になるよう配置される。
【００２８】
透過偏光軸可変部７０は、互いに対向する一対の透明基板７ａ，７ｂに挟まれた例えばツイストネマチック型の液晶層７ｃを有する液晶セルからなり、液晶層７ｃは、ＤＢＥＦ６０の透過軸６ｐに平行な下側の初期配向とこれに直交する上側の初期配向とが施される。点線矢印７Ｌ，７Ｕは、これらの配向方向を示している。この透過偏光軸可変部７０の液晶セルは、本例ではその主面全域にわたり透明基板７ａ，７ｂにそれぞれ形成される透明電極７ａｏ，７ｂｏを有する。これら電極により液晶層７ｃに低電圧及び高電圧のどちらかを印加することによって、選択的に液晶層７ｃを通過する光の偏光軸を回転させる状態と回転させない状態とが呈される。
【００２９】
偏光板７１は、その偏光軸７１ｐが液晶層７ｃの上側配向方向７Ｕと平行になるよう配置される。
【００３０】
本実施例の携帯電話機１に用いられる表示装置は透過型であり、以上のような像形成手段の背面側には、バックライト４０が配置される。
【００３１】
携帯電話機１はまた、像形成手段を画像表示モードと鏡作用モードとの切換制御をなすように構成される。そのために本例では、上記透過偏光軸可変部７０の状態を制御するよう一方の透明電極７ａｏと他方の透明電極７ｂｏとの間に交流電源８１とスイッチ８２との直列接続による給電回路８０が形成される。スイッチ８２は、図１において示したボタン３０とリンクしており、スイッチ８２がオフ状態のとき（情報表示モード）にボタン３０が押されるとオンとなりそのオン状態を持続するとともに、スイッチ８２がオン状態のとき（鏡作用モード）にボタン３０が押されるとオフとなりそのオフ状態を持続するようになっている。
【００３２】
スイッチ８２がオフのときには、回路８０は開成し、透明電極７ａｏ，７ｂｏには電源８１の電圧が伝送されない。したがって、液晶層７ｃには電圧が印加されず、液晶分子はツイスト配向を保ち透過偏光軸可変部７０において透過光の偏光軸が９０度回転する。
【００３３】
このとき液晶パネル５０を透過する光Ｌｍは、偏光板５２の偏光軸５２ｐに平行な第１の方向に振動する直線偏光成分（以下、第１偏光成分と呼ぶ）となっており、ＤＢＥＦ６０を透過した後に透過偏光軸可変部７０においてその偏光軸が９０度回転させられ、当該第１の方向に直交する第２の方向に振動する直線偏光成分（以下、第２偏光成分と呼ぶ）に変えられる。この第２偏光成分となった光Ｌｍは、偏光板７１を通過して外部へと導かれることになる。
【００３４】
また、外部からの光Ｌａは、非偏光の光であり、偏光板７１を透過すると第２偏光成分となるが、このとき透過偏光軸可変部７０は透過光の偏光軸を９０度回転させるので、光Ｌａは第１偏光成分に変えられる。この第１偏光成分となった光Ｌａは、ＤＢＥＦ６０及び偏光板５２を通過して液晶セル５１へと導かれることになる。
【００３５】
一方、鏡作用モードにおいてスイッチ８２がオンのときには、回路８０は閉成し、電源８１の電圧が透明電極７ａｏ，７ｂｏにより液晶層７ｃに印加する。これにより、液晶層７ｃに電圧が印加され、液晶分子が基板に対して直立する状態となり透過偏光軸可変部７０において透過光の偏光軸が回転しない。
【００３６】
このとき液晶パネル５０を透過する光Ｌｍは、同様に第１偏光成分であり、ＤＢＥＦ６０を透過した後に透過偏光軸可変部７０を透過してもその第１偏光状態を保つ。これにより、透過偏光軸可変部７０を透過した光Ｌｍは、偏光板７１に達しても第２偏光成分のみ透過しそれ以外は吸収する偏光板７１によって吸収され、外部へは出ない。
【００３７】
また、外部からの非偏光の光Ｌａによる偏光板７１を透過した第２偏光成分も、透過偏光軸可変部７０を透過してもその第２偏光状態を保つ。したがって、光Ｌａは第２偏光成分のままＤＢＥＦ６０に到達する。ＤＢＥＦ６０は、第１偏光成分のみ透過しそれ以外は反射するので、第２偏光状態の光Ｌａはここで反射し、再び透過偏光軸可変部７０へと戻される。ここでも透過偏光軸可変部７０は、当該反射光を第２偏光状態のまま透過するので、偏光板７１をその反射光が透過し外部へと導かれる。これにより、ＤＢＥＦ６０が外光Ｌａを鏡面反射しもってＤＢＥＦ６０にオブジェクトの像を映し出す鏡作用が奏されることとなる。
【００３８】
図２においては、情報表示モードにおける光Ｌｍ，Ｌａの振る舞いが左側に示され、鏡作用モードにおけるものが右側に示されている。
【００３９】
なお、液晶パネル５０から前面側へ透過する光Ｌｍの強度は、液晶パネル５０において表示される情報の明暗に依存するものであり、例えばその情報が最も暗いものであれば、これに対応する光Ｌｍの強度も最低となり、逆にその情報が最も明るいものであれば、これに対応する光Ｌｍの強度は最高となる。したがって、鏡作用モードのときに専ら鏡として機能させるのであれば、光Ｌｍが外部へ漏れてしまうことを避けるためにも、液晶パネル５０を最も暗い状態にすべきである。或いは、バックライト４０をオフとして、光Ｌｍをもとから生じさせないようにしてもよい。
【００４０】
本実施例による携帯電話機１は、さらに本発明のもう１つの主要な特徴である照明ユニット９１及びこれの制御手段を形成する構成を含むものである。この照明ユニット９１は、本例ではいわゆる豆電球の如きフィラメントに基づき又はＬＥＤの如き電界発光素子に基づきその両端に電圧を掛けることにより発光するタイプの電子部品とされており、光検出器９２と直列接続されて照明回路９０を構成する。光検出器９２は、本例では光の受光量に応じて電気抵抗を変化させる媒質に基づくタイプの電子部品とされているが、周囲の明るさを検出することができれば別のタイプのものとしてもよい。なお、ＬＥＤを使う場合は、当該ＬＥＤの直流駆動回路が設けられる。また、携帯電話機に備わる主電源は多くの場合直流なので、実際には当該主電源からの直流電圧を交流に変換するＤＣ−ＡＣ変換回路によって電源８１の交流出力が得られる。
【００４１】
照明回路９０は、図２に示されるように給電回路８０の負荷としての液晶層７ｃと並列に接続される。したがって、スイッチ８２のオンオフ制御によって、照明回路９０への電力の供給と遮断とがなされる。本例は、給電回路８０と照明回路９０とが照明ユニット９１の制御手段を担う構成を採用している。
【００４２】
情報表示モードのときすなわちスイッチ８２がオフのときには、照明回路９０は開くので、照明ユニット９１は発光せず、ユーザ１００は光で照らされない。このとき像形成手段は、表示パネル５０による情報の表示がなされており、ユーザ１００は、当該情報に応じて変調され外部へ透過する光Ｌｍに基づき、通常通り表示された情報を視認することになる。
【００４３】
一方、鏡作用モードのときすなわちスイッチ８２がオンのときには、照明回路９０は閉じるので、照明ユニット９１に光検出器９２の抵抗を介して電力が供給され、照明ユニット９１が発光する。これによりユーザ１００は、当該抵抗に応じた強度の光で照らされることになる。このとき像形成手段は、ＤＢＥＦ６０の鏡面反射による鏡を形成し、情報変調光たる光Ｌｍは外部透過が遮断されており、ユーザ１００は、照明ユニット９１からの光に照らされた状態で自分の姿を鏡（ＤＢＥＦ６０）に映して見ることになる。
【００４４】
ここで、光検出器９２の抵抗は、当該携帯電話機１の周囲の明るさに応じて変化し、より詳しくは、当該周囲が明るいほど高くなり、暗いほど低くなる。したがって、当該携帯電話機１の周囲が暗いほど照明ユニット９１に供給される電力は大きくなる。これにより、照明ユニット９１は、周囲が暗いほど明るい光をユーザ１００に照射するので、常に良好な鏡の使用を期待することができる。
【００４５】
図３には、光検出器９２に代えてスイッチ８２と連動するスイッチ９３を設けた照明回路９０Ａとした例を示している。この構成によれば、鏡作用モードにおいてスイッチ８２がオンとなったときには常にスイッチ９３も閉じて電源８１から照明ユニット９１に電力が供給される。したがって、ユーザ１００は、鏡として携帯電話機１を使うときは常に一定の光に照らされることになる。このような照明ユニット９１の発光は、鏡作用モードにあることをユーザに知らせる役目を担いうる。
【００４６】
なお、図３に示される構成は、スイッチ９３を省略し、照明ユニット９１だけが電源８１及びスイッチ８２の直列接続部と並列に接続される構成にすることもできる。
【００４７】
図４には、照明回路９０Ｂにおいてさらに光検出器９２と直列に接続されるスイッチ９４を設けた例を示している。スイッチ９４は、携帯電話機１に別に設けておいた図１に参照されるようなボタン３０と同様の押圧ボタン３１とリンクさせられており、スイッチ９４がオフのときにユーザ１００がこの押圧ボタン３１を押すとスイッチ９４が閉じ、スイッチ９４がオンのときにユーザ１００がこの押圧ボタン３１を押すとスイッチ９４が開く。この構成によれば、鏡作用モードにおいてスイッチ８２がオンとなったときには、照明回路９０Ｂに電源を供給することの可能な状態にする一方で、スイッチ９４の状態が照明ユニット９１への給電／非給電を決定する。これにより、ユーザ１００は、予め鏡作用モードのときに照明ユニット９１を機能させるか否かを設定しておくことができる。機能させる設定をした場合にのみ、鏡作用モードのときに周囲の明るさに応じた光の照射をなすことができる。
【００４８】
かかる事前の照明ユニット９１の機能可否設定は、図３に示した構成にも適用可能であり、例えばスイッチ９３に直列に当該ボタン３１にリンクしたスイッチ９４を接続することによって達成される。これにより、ユーザ１００は、予め鏡作用モードのときに照明ユニット９１を機能させるか否かを設定し、機能させる設定をした場合にのみ、鏡作用モードのときに強制的に光の照射をなすことができる。
【００４９】
また、図４に点線で示したような可変抵抗器９５を光検出器９２の代わりに設けるようにしてもよい。この場合、可変抵抗器９５は、例えば略ゼロからその最大値までその電気的抵抗値を変化させることのできるものであり、携帯電話機１における図示せぬハードウェア及び／又はソフトウェアによって当該抵抗値を設定することを可能としている。このようにすれば、ユーザ１００自身が判断した周囲の暗さ又はユーザ１００の好みに合わせた照明ユニット９１の発光強度を設定することができる。或いは、抵抗可変型の光検出器９２ではなく別のタイプの光検出器からの検出情報に応じて可変抵抗器９５の抵抗値を設定することが可能となる、という特徴を持つ。
【００５０】
図５は、さらに照明ユニット９１の制御を高度化した構成例を示している。
【００５１】
図５において、照明回路９０Ｃは、照明ユニット９１の鏡作用モードにおける照明態様を選択するための１入力３出力スイッチ９６を有し、その入力に電源回路８０の一端が接続され、出力にはそれぞれ光検出器９２、可変抵抗器９５及び照明ユニット９１の直接接続線が接続される。これにより、上述した照明ユニット９１の発光強度を決めるための種々の特徴がカバーされる。すなわち、鏡作用モードにおいてスイッチ８２がオンとなったときには、照明回路９０Ｃに電源を供給することの可能な状態の下、スイッチ９６の状態が照明ユニット９１への給電状態を決定することが可能となっている。スイッチ９６の入力と出力との電気的接続関係を制御することにより、光検出器９２により検出された外部照度に応じて、可変抵抗器９５の抵抗設定に応じて若しくは固定した形（ここでは電源８１の最大電力）で電力を照明ユニット９１に供給するか、又は全く照明ユニット９１には電力を供給しないかを選択することができる。これにより、ユーザ１００の好みに応じて、鏡作用モードのときに照明ユニット９１を如何に用いるかを決めることができる。
【００５２】
図５の照明回路９０Ｃはまた、携帯電話機１に好適な制御をも行う。そのために、電源８１の一方電極側と照明ユニット９１の一方電極側との間にオンオフスイッチ９７１と明滅回路９７２との直列接続回路が接続されている。スイッチ９７１は、携帯電話機１における図示せぬ受信回路から得られる着信信号Ｓcallに応じてオンオフ制御され、通常は開いており、オンのときにはスイッチ９６を介した電力供給とは別に電源８１からの電力を明滅回路９７２に中継する。明滅回路９７２は、この供給電力に基づき照明ユニット９１の給電を間欠させる動作をなす。着信信号Ｓcallは、当該受信回路が検知した着信（電子メールの着信を含む）発生に応答して有意となる信号であり、携帯電話機１における他の制御又は処理等に用いられているものであり、照明回路９０Ｃのために特別に生成しなくともよい。
【００５３】
このような構成により、照明ユニット９１は、スイッチ８２及びスイッチ９６の状態に拘わらず、着信に応答して明滅発光することになる。したがって、ユーザ１００は、携帯電話機１を鏡として使っている最中に着信があったときは、照明ユニット９１の明滅動作によりその旨を知ることができる。
【００５４】
なお、本例では着信発生に応答してその旨を照明ユニット９１を用いて報知させるようにしているが、適用される機器に応じて、種々の状態発生を照明ユニット９１を用いて報知するようにしてもよい。かかる状態には、他にもアラーム，時報などの特異状態が含まれる。種々の状態に対応するには、報知の形態もこれに対応して種々用意するのが好ましいが、これは、例えば明滅回路９７２によって行われる照明ユニットへの供給電力の間欠動作を複数種類設けておき、当該特異情報に応じた種類の間欠動作を行うことによって実現することができる。
【００５５】
さらに、本例の照明回路９０Ｃは、いわゆるパワーセーブモードにも対応している。そのために、電源８１の他方電極側と照明ユニット９１の他方電極側との間にオンオフスイッチ９８を介在させている。スイッチ９８は、通常は閉じており、携帯電話機１における図示せぬ制御回路から得られる省電力指令信号Ｓsvに応じてオンオフ制御され、オフのときには電源８１からの電力供給を断とする。省電力指令信号Ｓsvは、基本的には当該制御回路により当該電話機のシステムバッテリ電源の充電エネルギーが所定の基準を下回ったときに有意となる信号であり、携帯電話機１における他の制御又は処理等に用いられているものであり、照明回路９０Ｃのために特別に生成しなくともよい。
【００５６】
このような構成により、照明ユニット９１は、スイッチ８２及びスイッチ９６並びにスイッチ９７１の状態に拘わらず、当該電話機がパワーセーブを必要としているときには発光を強制的に禁止させられる。したがって、ユーザ１００は、パワーセーブ中のときは鏡作用モードに切り換えても照射されない。これにより、バッテリ電源の充電エネルギーの長期使用を優先させることができる。
【００５７】
図６は、本発明の他の実施例により改変した透過偏光軸可変部７０の特徴的な構成を示しており、これまで説明したものと同等の部分には同一の符号が付されている。また、説明を簡明とするために、透過偏光軸可変部７０はその特徴的要素のみ分解抽出されて平面図として示している。
【００５８】
図６において、透過偏光軸可変部７０の下側透明電極７ｂｏは、これまでと同様に基板７ｂに全面的に延在するように形成される。一方、改変された上側透明電極７ａｏは、２つの領域に分けられており、１つは、表示領域の大部分を占め、画像表示と鏡形成とを担う第１電極部７ａｏ´として、もう１つは表示領域において第１電極部の隣の上部に横に延在する長手領域を占め、主として背面光透過と鏡形成とを担う第２電極部７ａ１として形成される。
【００５９】
これに対する電源回路８０及び照明回路９０´の構成は次のようになる。第１電極部７ａｏ´には、上記実施例と同様に電源８１の一端が接続される。第２電極部７ａ１には、選択スイッチ９９の非選択端子が接続される。スイッチ９９の第１及び第２被選択端子には、それぞれ電源８１の一端と下側電極７ｂｏ及びスイッチ８２の共通接続点とが接続される。
【００６０】
このような構成により、情報表示モードにおいてスイッチ８２がオフのときには、第１電極部７ａｏ´も第２電極部７ａ１も高電圧が印加されないので、透過偏光軸可変部７０の液晶層７ｃは全域的にその液晶分子のツイスト配向を維持し透過光の偏光軸を９０度回転させる。したがって、表示領域全体が図２の左側に示されている光Ｌａ，Ｌｍの振る舞いとなって情報表示がなされる。
【００６１】
一方、鏡作用モードにおいてスイッチ８２がオンのときには、第１電極部７ａｏ´には高電圧が印加され、液晶層７ｃは第１電極部７ａｏ´の領域においてその液晶分子を当該基板主面に直立させ透過光の偏光軸を回転させない。これにより、第１電極部７ａｏ´の領域では、したがって表示領域の大部分の領域では、図２の右側に示されている光Ｌａ，Ｌｍの振る舞いとなって鏡作用が奏される。
【００６２】
このときのスイッチ９９の選択状態が、第２電極部７ａ１に高電圧が印加されるかどうかを決める。すなわち、スイッチ９９が第１被選択端子を選ぶよう制御されていれば、電源８１からの電力が当該スイッチを介して第２電極部７ａ１へ供給される。そして第１電極部７ａｏ´の領域と同様に第２電極部７ａ１の領域でも鏡作用が奏される。これに対し、スイッチ９９が第２被選択端子を選ぶよう制御されていれば、第２電極部７ａ１は、当該スイッチを介して下側電極７ｂｏと同電位とされる。この場合、第２電極部７ａ１の領域において液晶層７ｃは透過光の偏光軸を回転するので、第２電極部７ａ１の領域では、パネル５０からの光Ｌｍが透過することが可能となる。このＬｍ透過可能状態で、表示パネル５０は、第２電極部７ａ１に対応する領域において明状態すなわち最も輝度の高い変調状態例えば白色を表示させる。これにより、バックライト４０からの光は、第２電極部７ａ１の領域を通じて外部へと導出される。この光が、これまで述べてきた照明ユニット９１の照射光に代わることになる。本例では、図６に示されるような表示領域の上側に配される第２電極部７ａ１に対応する長手形状領域から光が照射可能となり、ユーザ１００は、その顔を映した鏡のちょうど上の方から光を照射されることになる。
【００６３】
このように、透過偏光軸可変部７０を改変しこれに表示パネル５０の表示駆動状態を適合させることにより、照明ユニット９１を特別に設けることなく、バックライト４０を鏡作用時の照明手段として有効活用することができるのである。
【００６４】
図６の構成はまた、図７に示されるように改変することができる。図７において、上側透明電極７ａｏは、同様に２つの領域に分けられるが、第１電極部７ａｏ´´は表示領域の平面形状の相似形をもって全体的にサイズを小さくされ、第２電極部７ａ２はこの第１電極部７ａｏ´´の周りを取り囲むように形成される。
【００６５】
このようにすることにより、表示領域の外縁領域から光を照射することが可能となる。この場合、ユーザ１００は、その顔を映した鏡のちょうど外周の部分から、したがって空間的にはあたかも映すべき顔（オブジェクト）を前方から包み込むような形で光が照射されることになる。
【００６６】
図８は、他の改変例を示しており、透過偏光軸可変部７０の上側透明電極７ａｏは、３つの領域に分けられている。かかる分割領域には、表示領域の大部分を占め、画像表示と鏡形成とを担う第１電極部７ａｏ´と、その隣の上部に横に延在する長手領域を占め、主として背面光透過と鏡形成とを担う第２電極部７ａ１と、第１電極部７ａｏ´の端に本例では右上の片隅に形成され、主として画像表示と鏡作用モードのときの情報表示をなす第３電極部７ａ３とが含まれる。
【００６７】
これに対する照明回路９０´´は、上記照明回路９０´の構成に加え、第３電極部７ａ３用のスイッチ９Ａが設けられる。スイッチ９Ａは、その非選択端子が第３電極部７ａ３に接続され、被選択端子がそれぞれ電源８１の一端と下側電極７ｂｏ及びスイッチ８２の共通接続点とに接続される。
【００６８】
このような構成により、鏡作用モードにおいてスイッチ８２がオンのときには、スイッチ９Ａの選択状態が、第３電極部７ａ３に高電圧が印加されるかどうかを決める。すなわち、スイッチ９Ａが第１被選択端子を選ぶよう制御されていれば、電源８１からの電力が当該スイッチを介して第３電極部７ａ１へ供給される。そして第１電極部７ａｏ´の領域と同様に第３電極部７ａ３の領域でも鏡作用が奏される。これに対し、スイッチ９Ａが第２被選択端子を選ぶよう制御されていれば、第３電極部７ａ３は、当該スイッチを介して下側電極７ｂｏと同電位とされ、第３電極部７ａ３の領域においてパネル５０からの光Ｌｍの透過が可能となる。このＬｍ透過可能状態で、表示パネル５０は、第３電極部７ａ１に対応する領域において例えば黒地に白で「Mirror Mode」などと表示させることができる。かかる表示により、ユーザ１００は、携帯電話機１が現在鏡として動作していることを確認することができる。
【００６９】
なお、鏡作用時における表示のために第３電極部７ａ３のような独立した領域を必ずしも設ける必要はない。例えば図６及び図７に示した構成において、第２電極部７ａ１，７ａ２の領域がＬｍ透過可能状態とされたときに、第２電極部７ａ１，７ａ２の領域の一部において、上述したような黒地に白の「Mirror Mode」を表示させることも可能である。
【００７０】
また、図６ないし図８のバックライトに基づく構成においては、先に述べたような照明のオンオフ制御及び照射強度制御については簡明とするために言及しなかったが、かかる制御の特徴をこのバックライトに基づく構成に適用することができることは勿論である。この場合、当該制御は、表示パネル５０の局部的階調制御によって可能である。より詳しくは、第２電極部７ａ１，７ａ２の領域の如く照明のために用いられる領域において、必要に応じて表示パネル５０の表示を最暗状態から最明状態の範囲のうちのいずれかに制御することにより、若しくは当該領域全体の面積に対する所定の階調状態例えば最暗状態（又は最明状態）の面積比を制御することにより、又はこれらの組み合わせによって実現される。
【００７１】
さらに、図６ないし図８の構成においては、鏡作用モードにおいて用いられる照明の領域を１箇所に固定した形態が採用されているが、照明のための複数の領域を設けてもよい。この場合、照明のオンオフ制御及び照射強度制御を当該複数の照明領域の選択的オンオフ制御によって達成することも可能である。またこれは、上述した局部的階調制御と組み合わせることができる。
【００７２】
また、照明用の領域は、他の多角形でも、丸い形状でもよく、図６ないし図８に示される形状に限定されない。したがって、表示領域の上側に円形の照明領域を作れば、先述したような照明ユニット９１と似たような形態を実現することが可能となる。
【００７３】
また、図６ないし図８においては上側透明電極を分割して照明領域を形成する例を示したが、照明領域を形成するのに下側透明電極を分割するようにしてもよいし、上側及び下側の双方を分割してもよいことは勿論である。
【００７４】
図９は、さらに他の実施例の構成を示しており、フロントライトを有する反射型の表示装置に適用される。
【００７５】
図９において、適用される液晶表示パネル５０Ａは、内部に外部光又はフロントライトからの光を反射させる反射構造を有する液晶セル５１Ａを有する。この液晶セル５１Ａも、画像表示の際は当該画像に応じた光Ｌｍを外部へ導くものとなっている。
【００７６】
フロントライト４１は、周知の構成と同様に、その主面の端部側に設けられる光源４２と、反射板４３と、反射板４３に対向した端面を有する導光板４４と、導光板４４のパネル５０Ａに対向する面に形成される反射防止層４５とにより構成される。光源４２は、フロントライト制御回路４６によってその電源の供給がなされる。
【００７７】
本実施例においては、電源回路８０の電源投入を検知する手段として、第１透明電極７ａｏと第２透明電極７ｂｏとに２つの入力端がそれぞれ接続された電圧検知回路７７が設けられる。この電圧検知回路７７は、第１及び第２透明電極７ａｏ，７ｂｏの各電位に基づいてその間における発生電圧の値を検知し、所定の基準電圧よりも高い場合に有意となる検知信号Ｓａを出力する。検知信号Ｓａは、フロントライト制御回路４６に供給される。
【００７８】
フロントライト制御回路４６は、検知信号Ｓａに応答してフロントライト４１の発光を制御する。検知信号Ｓａが有意となると、制御回路４６は、光源４２の発光を、上述したように予め設定された態様で制御する。
【００７９】
情報表示モードにおいてスイッチ８２がオフのときは、フロントライト制御回路４６は、通常通り表示装置内において外光と同様の経路を辿る情報表示のための光を発生すべく、光源４２に電源を供給する。このとき発生したフロントライト４１からの光は、導光板４４により液晶パネル５０Ａに向けられ、偏光板７１，偏光軸可変部７０，ＤＢＥＦ６０及び偏光板５２を透過した後に液晶セル５１Ａの内部反射構造体によって反射され、外部へと導かれる。フロントライト制御回路４６はまた、ユーザ又は当該携帯電話機のシステムコントローラがフロントライトの点灯を不要と判断した場合には、光源４２を点灯させず、外光のみを液晶パネル５０Ａに入射させる。
【００８０】
鏡作用モードにおいてスイッチ８２がオンのときは、検知回路７７が検知信号Ｓａを発生し、フロントライト制御回路４６は、これに応答して光源４２に電源を供給する。このとき発生したフロントライト４１からの光は、透過光偏光軸可変部７０が鏡作用に対応して駆動されているので、ＤＢＥＦ６０において反射され、外部へと導かれる。これにより、ユーザ１００は、この外部へ導出された光に照射されることになり、上記照明ユニット及びバックライトと同様に、鏡作用モードでの暗闇対策がなされることになる。
【００８１】
なお、本実施例においても、上記照明のオンオフ制御及び照射強度制御の形態を採ることは可能である。
【００８２】
以上、照明ユニット（バックライト及びフロントライトによる構成も含む）を用いて本発明を実現する基本的な構成を説明したが、図１に示されるようにユーザ１００の顔に適切に光を照射するための工夫も重要である。
【００８３】
図１０は、照明ユニットを改良した例を示している。この図において、照明ユニット９１０は、光源９１１と、その背面側に配された拡散反射板９１２と、前面側に配されたＤＢＥＦ９１３とを有する。光源９１１から発せられた光は、概して、第１に直接ＤＢＥＦ９１３を通過して外部へと導かれる経路（Ａ）と、第２に一旦反射板９１２で拡散され反射した後にＤＢＥＦ９１３を通過して外部へと導かれる経路（Ｂ）と、第３に一旦ＤＢＥＦ９１３を反射した後反射板９１２でさらに拡散され反射してからＤＢＥＦ９１３を通過して外部へと導かれる経路（Ｃ）を採る。
【００８４】
ＤＢＥＦ９１３は、透過軸９１ｐに平行な方向に振動する偏光成分は透過し、これ以外の成分は反射するので、経路（Ａ）を採る光は初期発生光の一部である。しかし、ＤＢＥＦ９１３で反射した光は拡散反射板９１２においてその拡散により透過軸９１ｐに平行な方向の偏光軸を持つ光に変換されうるので、ＤＢＥＦ９１３に戻ったときには透過軸９１ｐを透過することが可能となる。したがって、ＤＢＥＦ９１３からは、透過軸９１ｐに平行な方向に振動する偏光された光のみが出力される。
【００８５】
ＤＢＥＦ９１３の透過軸９１ｐは、像形成手段におけるＤＢＥＦ６０（図１参照）の透過軸６ｐと直交する方向に合わせられる。このような軸合わせによって最終的に鏡作用モードにおいてＤＢＥＦ６０に映る像が明るくなる、という効果を奏する。
【００８６】
鏡作用モードにおいてＤＢＥＦ６０が鏡面反射する光は、その透過軸６ｐと直交する方向に振動する第２偏光成分であるので、オブジェクトからＤＢＥＦ６０に入る光として第２偏光成分が多ければ、鏡に映る像は明るくなる。そのために、図１０に示されるように透過軸６ｐと直交する方向（透過軸９１ｐの方向）に振動する第２偏光成分に対応する光を予め照明ユニット９１０において発生し、これをオブジェクトであるユーザ１００の顔に照らすようにすれば、ユーザ１００の顔からＤＢＥＦ６０に入る第２偏光成分が多くなり、鏡に映る像を明るくすることができるのである。
【００８７】
図１１は、本発明において使用される照明ユニット９とオブジェクトとの位置関係を示している。ユーザ１００が自分の顔を映すために鏡を使用するときは、顔を鏡の真正面に向けるのが普通である。一方、照明ユニット９は、鏡となる領域の縁部又は外側に配される。したがって、照明ユニット９から発せられる光は、使用時に想定される顔の位置に向かうように図示のような角度（θ）を持っていたほうが好ましい。
【００８８】
例えば鏡領域が３．５ｃｍ×３ｃｍのサイズであれば、平均的な例えばサイズが２７ｃｍ×１６ｃｍの女性の顔を全てその鏡に映すには、当該鏡領域の中心に立てた法線上当該中心から概ね４５ｃｍ離すとちょうどよく、照明ユニット９が鏡領域の外側の上方にあり当該中心から３ｃｍ離れている場合には、概ねθ＝４°とするのがよい。また、この例における女性が化粧をするときに適した距離は、同法線上当該中心から概ね２０ｃｍ離すとよく、概ねθ＝９°とするのがよいことが確認されている。したがって、θは、大略４°ないし９°の範囲が好ましい。また、照明ユニット９から発せられる光は、目標とされるオブジェクトの位置においてそのオブジェクトのサイズと同様のスポット形状を持つようにするのが好ましい。
【００８９】
このような観点から、適用される装置に相応しい照明ユニット９の照射指向性及びスポット形状（サイズ）を定めることができる。他方、かかる指向性及びスポット形状を、例えば上述のように定めた指向性及びスポット形状を基準にして可変なものとすれば、様々なオブジェクト及びユーザに対応することができる。
【００９０】
図１２は、上述した指向性を実現する照明ユニットの一例を示しており、主として放射光源９１１とこれを取り囲む４つの反射板９２１〜９２４とにより構成されている。この照明ユニットから実際に光の出る面には、透明板９３０が設けられ、この透明板の表面は適用される装置における鏡形成領域の主面に平行なものとされている。
【００９１】
この構成において特徴的なのは、第１に透明板９３０側に角度をもって配された反射板９２１である。反射板９２１は、光源９１１から発せられた上向きの光を内部に跳ね返す。これにより、図１１に示されるような使用態様では不要となる上向きの光をなくすとともに、内部反射して他の反射板において向きを変えさせ本態様に有用な下向きの光をつくることができるのである。第２には、光源９１１の真後ろに配される反射板９２３の反射表面積を比較的大なるものとするとともに、その傾斜角度を鏡形成領域の主面（点線が主面の方向を示す）に対し上述したθの値としたことである。このような反射板９２３により、光源９１１から発せられた光を目標とするオブジェクトの位置へと効率的に向けることができる。
【００９２】
また、反射板９２３を可動なものとし、これを角度θを基準にして変化させるようにすることにより、発せられる光の指向性を簡単に調整することができて好ましい。
【００９３】
図１３は、パラボラ形状の反射板９４０を利用した例を示している。この例においては、光がオブジェクトに向くように反射板９４０の軸は予め傾斜させられている。傾斜の程度は、その光の照射中心軸（一点鎖線にて示される）と当該鏡形成領域の主面の法線方向とのなす角が上記θの値となるように設定されている。これにより、効率的に照明ユニットの照射指向性をオブジェクトに合わせることができる。
【００９４】
また、指向性の調整は、図１３に矢印で示されるように所定の回転軸例えば光源９１１を中心にして反射板９４０を回転させることにより行うことができる。これにより、発せられる光の照射中心軸を変えられる。
【００９５】
照明光に所望のスポット形状を付与するには、図１４のように光源９１１の前面に光学屈折体としての凸レンズ９５０を配してこのレンズ９５０を介してオブジェクトに光を照射する構成とすればよい。これにより、オブジェクト１０００には集光された形の光が照らされることになる。
【００９６】
かかる構成において、レンズ９５０及び／又は光源９１１を可動とし、レンズ９５０と光源９１１との相対距離を変えることにより、オブジェクト１０００におけるスポットサイズを所望のものに変えることができる。
【００９７】
図１４は図１２の構成を基礎としているが、このような凸レンズを図１３に示される構成に適用することも可能である。したがって、照明ユニットの照射指向性も照射スポット形状も、図１１に示した使用形態に最も適したものとすることができる。このように照射特性を使用態様に適合させることは、特に携帯機器のようにユーザがある限定的な使い方しかしない場合に極めて効果的である。
【００９８】
なお、図１２ないし図１４に示した構成と図１０に示した構成とを組み合わせてもよいことは勿論である。かかる組み合わせによれば、鏡を形成する構成（像形成手段）に対しても最適化がなされ、明るくかつ好適な光の照射がなされることになる。
【００９９】
光検出器９２を構成する場合の好適な例の１つとしては、図１５に示される形態のものが挙げられる。この形態では、携帯電話機の頂部に設けられる光検出器９２の実際の受光面９２０を傾斜させ、照明ユニット９１の照射光がオブジェクトその他反射物体により反射されて受光面９２０に入ることを避けるようにしている。ここでは受光面９２０が照明ユニット９１の照射軸９１Ａに対して角度βだけ照明ユニット９１から逸れるように形成されている。こうすることによって、照明ユニット９１の光が光検出器９２によって検出されてしまうのを防ぎ、光検出器９２に外部の明るさを正しく検出させることが可能となる。照明ユニット９１の光が光検出器９２に入ることを防ぐ手段としては、他にも種々考えられるが、このように受光面９２０を当該照射軸に対して角度を持たせることで簡単に実現することができる。
【０１００】
以上の説明から分かるように、本発明は必ずしも図２に示されるような像形成手段に限定されない。例えば特許文献１に記載の種々の形態の鏡機能を有する構成とすることも可能であるし、これ以外の鏡機能付き表示装置にも本発明は適用可能である。
【０１０１】
また、上記実施例では、透過型と反射型の液晶表示装置について言及しているが、いわゆる半透過型のものでも構わないし、液晶以外のタイプの表示装置でも対象となりうるものである。
【０１０２】
以上、本発明による代表的実施例を説明したが、本発明はこれらに限定されるものではなく、当業者であれば、添付請求項の範囲内で種々の改変例を見出すことができる。
【図面の簡単な説明】
【０１０３】
【図１】本発明の一実施例による携帯電話機の概念及び使用形態を示す模式図。
【図２】図１の携帯電話機に用いられる表示装置の特徴的構成を示す概略図。
【図３】図２の表示装置に適用される制御回路の改変例を示す回路図。
【図４】図２の表示装置に適用される制御回路の他の改変例を示す回路図。
【図５】図２の表示装置に適用される制御回路のさらに他の改変例を示す回路図。
【図６】図２の表示装置に適用される改変された照明システムの一例を示す図。
【図７】図２の表示装置に適用される改変された照明システムの他の例を示す図。
【図８】図２の表示装置に適用される改変された照明システムのさらに他の例を示す図。
【図９】本発明を反射型表示装置に適用した例を示す図。
【図１０】本発明による照明システムの改変例を示す模式図。
【図１１】図１の携帯電話機における像形成領域とオブジェクトとの関係を示す模式図。
【図１２】図１の携帯電話機に好適な照明ユニットの一構成例を示す模式図。
【図１３】図１の携帯電話機に好適な照明ユニットの他の構成例を示す模式図。
【図１４】図１の携帯電話機に好適な照明ユニットのさらに他の構成例を示す模式図。
【図１５】図１の携帯電話機に好適な光検出器の構成例を示す模式図。
【符号の説明】
【０１０４】
１…携帯電話機
１０…画面
１００…ユーザ
３０…鏡モード切替ボタン
３１…照明制御設定ボタン
４０…バックライト
５０，５０Ａ…液晶表示パネル
５１，５１Ａ…液晶セル
５２，５３…偏光板
６０…ＤＢＥＦ
７０…透過偏光軸可変部
７ａ，７ｂ…透明基板
７ｃ…液晶層
７ａｏ，７ｂｏ…透明電極
７１…偏光板
８０…電源回路
８１…電源
８２…鏡作用起動スイッチ
９０，９０Ａ，９０Ｂ，９０Ｃ，９０´，９０´´…照明回路
９，９１…照明ユニット
９１Ａ…照射軸
９２…光検出器
９２０…受光面
９３…連動スイッチ
９４…設定スイッチ
９５…可変抵抗器
９６…選択スイッチ
９７１…オンオフスイッチ
９７２…明滅回路
９８…オンオフスイッチ
９９…選択スイッチ
７ａｏ´，７ａｏ´´…第１電極部
７ａ１，７ａ２…第２電極部
７ａ３…第３電極部
４１…フロントライト
４２…光源
４３…反射板
４４…導光板
４５…反射防止層
４６…フロントライト制御回路
７７…電圧検知回路
９１０…照明ユニット
９１１…光源
９１２…拡散反射板
９１３…ＤＢＥＦ
９２１〜９２４…反射板
９３０…透明板
９４０…パラボラ形反射板
９５０…凸レンズ
１０００…オブジェクト
【図１】
2007537475.tif 000003
【図２】
2007537475.tif 000004
【図３】
2007537475.tif 000005
【図４】
2007537475.tif 000006
【図５】
2007537475.tif 000007
【図６】
2007537475.tif 000008
【図７】
2007537475.tif 000009
【図８】
2007537475.tif 000010
【図９】
2007537475.tif 000011
【図１０】
2007537475.tif 000012
【図１１】
2007537475.tif 000013
【図１２】
2007537475.tif 000014
【図１３】
2007537475.tif 000015
【図１４】
2007537475.tif 000016
【図１５】
2007537475.tif 000017
【国際調査報告】
2007537475.tif 000018
2007537475.tif 000019
2007537475.tif 000020
2007537475.tif 000021